(57)【要約】【課題】周知の電話端末を利用してインターネット通話機能による音声通話を行うことのできる電話端末を提供すること。【解決手段】電話端末として機能する複合機は、伝送経路がＮＣＵ（電話回線網を介した通常の音声通中）のとき保留開始操作が行われたら（ｓ１７０：ＹＥＳ）、保留開始処理（ｓ１８０）で保留音を通話相手側へ出力し、その後、保留終了操作が行われたら（ｓ１９０：ＹＥＳ）、保留終了処理（ｓ２００）で保留音の出力を終了する。また、伝送経路が音声Ｉ／Ｆ（インターネット通話機能による音声通話中）のとき保留開始操作が行われたら（ｓ２７０：ＹＥＳ）、保留開始処理（ｓ２８０）で保留音を通話相手側へ出力し、その後、保留終了操作が行われたら（ｓ２９０：ＹＥＳ）、保留終了処理（ｓ３００）で保留音の出力を終了する。こうして、インターネット通話機能による音声通話中でも電話回線網を介した通常の音声通話中と同様の操作で音声通話の保留を開始・終了できる。【選択図】図２
2004072402.tif 000002
【特許請求の範囲】
【請求項１】
電話回線網経由で伝送される音声信号に基づく音声を送受話器から入出力することにより音声通話を実現するように構成され、音声通話中に通話を保留するための保留操作が行われた場合に保留音の音声信号を電話回線網に出力する保留音出力手段を備えた電話端末であって、
外部と音声信号を入出力可能な音声入出力経路と、
利用者の操作を受けて、送受話器から入力される音声に基づく音声信号の出力先、および、送受話器から音声として出力する音声信号の入力元を、前記音声入出力経路に切り替える切替手段とを備えており、
前記保留音出力手段は、前記切替手段により音声信号の出力先および入力元が前記音声入力経路に切り替えられている状態で前記保留操作が行われた場合に、保留音の音声信号を前記音声入力経路に出力する
ことを特徴とする電話端末。
【請求項２】
インターネット網から音声信号を入出力可能なインターネット通話機能を有するインターネット端末が、音声信号を伝送可能な音声伝送経路を介して接続された端末装置から音声信号に基づく音声を出力させることにより音声通話を実現するように構成された通話システムであって、
前記端末装置として、請求項１に記載の電話端末が利用されている
ことを特徴とする通話システム。
【請求項３】
電話回線網経由で伝送される音声信号に基づく音声を送受話器から入出力することにより音声通話を実現する電話端末を制御するための各種手順を、コンピュータシステムに実行させるための端末制御プログラムであって、
音声通話中に通話を保留するための保留操作が行われた場合に保留音の音声信号を電話回線網に出力させる保留音出力手順と、
送受話器から入力される音声に基づく音声信号の出力先、および、送受話器から音声として出力する音声信号の入力元を、外部と音声信号を入出力可能な音声入出力経路に切り替える切替手順とが、含まれており、
前記保留音出力手順において、前記切替手順で音声信号の出力先および入力元が前記音声入力経路に切り替えられている状態で前記保留操作が行われた場合には、保留音の音声信号を前記音声入力経路に出力させる
ことを特徴とする端末制御プログラム。
【発明の詳細な説明】
【０００１】
【発明の属する技術分野】
本発明は、電話回線網経由で伝送される音声信号に基づく音声を送受話器から入出力することにより音声通話を実現する電話端末に関する。
【０００２】
【従来の技術】
近年、インターネット網を介してデータ通信を行うことのできるインターネット端末が広く普及している。このようなインターネット端末の中には、インターネット網から音声信号を入出力すると共に、これらの音声信号に基づく音声をインターネット端末に接続された送受話装置（例えば、ヘッドセット：ヘッドホンまたはイヤホンとマイクが一体化された装置）から入出力することにより音声通話を実現する機能（以降、インターネット通話機能とする）を有するものがある。
【０００３】
このようなインターネット端末において、インターネット網から入出力する音声信号に基づく音声は、インターネット端末の備えるスピーカおよびマイクから入出力させることもできるが、スピーカおよびマイクの設置位置によっては、スピーカから出力される音声が聞き取り難くなったり、マイクから入力される音声の音量が小さくなったりして、良好に音声通話が行えないことがある。そのため、インターネット通話機能により音声通話を行う際には、インターネット端末に接続された送受話装置を使用することが一般的になっている。
【０００４】
【発明が解決しようとする課題】
しかし、このような送受話装置は、インターネット通話機能により音声通話を行うために使用される専用の装置であるため、インターネット通話機能により音声通話を行う以外の用途で使用することができなかった。
【０００５】
そこで、インターネット通話機能を利用するための装置として、他の用途で利用される装置を流用することができれば、インターネット通話機能により音声通話を行うために専用の装置を用意する必要が無くなるため好適である。
ここで、インターネット通話機能のために利用する装置としては、例えば、電話回線網経由で伝送される音声信号に基づく音声を送受話器から入出力することにより音声通話を実現することができる周知の電話端末などが考えられる。このような電話端末であれば、インターネット通話機能を利用しないときには、通常の電話端末として使用することができる。
【０００６】
しかし、従来、周知の電話端末を利用してインターネット通話機能による音声通話を行うといったことは行われておらず、このようなことを行うための技術が要望されていた。
本発明は、周知の電話端末を利用してインターネット通話機能による音声通話を行うことのできる電話端末および通話システムを提供すること、また、これらにおいて利用可能な端末制御プログラムを提供することを目的とする。
【０００７】
【課題を解決するための手段および発明の効果】
上記問題を解決するため請求項１に記載の電話端末は、
電話回線網経由で伝送される音声信号に基づく音声を送受話器から入出力することにより音声通話を実現するように構成され、音声通話中に通話を保留するための保留操作が行われた場合に保留音の音声信号を電話回線網に出力する保留音出力手段を備えた電話端末であって、
外部と音声信号を入出力可能な音声入出力経路と、
利用者の操作を受けて、送受話器から入力される音声に基づく音声信号の出力先、および、送受話器から音声として出力する音声信号の入力元を、前記音声入出力経路に切り替える切替手段とを備えており、
前記保留音出力手段は、前記切替手段により音声信号の出力先および入力元が前記音声入力経路に切り替えられている状態で前記保留操作が行われた場合に、保留音の音声信号を前記音声入力経路に出力する、ことを特徴とする。
【０００８】
このように構成された電話端末によれば、切替手段によって、送受話器から入力される音声に基づく音声信号の出力先、および、送受話器から音声として出力する音声信号の入力元を、外部からの音声信号の入力および外部への音声信号の出力が可能な音声入出力経路に切り替えることができる。
【０００９】
このように、音声信号の入力元および出力先が音声入出力経路に切り替えられた状態においては、外部から音声入出力経路を介して入力される音声信号に基づく音声が送受話器から出力され、また、送受話器から入力される音声に基づく音声信号が音声入出力経路を介して外部に出力される。
【００１０】
そのため、インターネット網から入出力する音声信号に基づく音声通話を実現する機能（以降、インターネット通話機能とする）を有するインターネット端末に、本電話端末を音声入出力経路経由で音声信号を入出力可能に接続することによって、本電話端末の送受話器で間接的にインターネット通話機能による音声通話を行うことができる。
【００１１】
さらに、本電話端末で間接的にインターネット通話機能による音声通話を行っている最中に保留操作が行われた場合、保留音出力手段が保留音の音声信号を音声入出力経路に出力することによって、この音声信号がインターネット通話機能による音声通話の通話相手側に向けて出力される。よって、インターネット通話機能による音声通話を行っているときであっても、保留操作が行われた場合には、電話回線網を介した通常の音声通話を行っているときと同様に、インターネット通話機能による音声通話の通話相手側に向けて保留音の音声信号を出力することができる。このように、インターネット通話機能による音声通話を行っているときであっても、電話回線網を介した通常の音声通話を行っているときと同様の操作（保留操作）で同様の機能（音声通話を保留する機能）を利用することができる。
【００１２】
なお、上述の切替手段が音声信号の出力先および入力元を音声入出力経路に切り替える際の契機となる「利用者の操作」について、その具体的な操作内容は特に限定されないが、例えば、音声入出力経路への切り替えを行うための専用の操作部（例えば、スイッチなど）を設け、この操作部が操作される、といった操作内容を考えることができる。また、「利用者の操作」の具体的な操作内容としては、音声入出力経路への切り替えを行うための特定の操作手順を設定しておき、この操作手順に従った操作が行われる、といった操作内容を考えることもできる。ここで、操作手順としては、例えば、特定の操作ボタンを長押し（一定時間押し続ける）したり、複数の操作ボタンを特定の順番で操作したり、といったことである。
【００１３】
また、請求項２に記載の通話システムは、
インターネット網から音声信号を入出力可能なインターネット通話機能を有するインターネット端末が、音声信号を伝送可能な音声伝送経路を介して接続された端末装置から音声信号に基づく音声を出力させることにより音声通話を実現するように構成された通話システムであって、
前記端末装置として、請求項１に記載の電話端末が利用されている、ことを特徴とする。
【００１４】
このように構成された通話システムによれば、インターネット端末と電話端末とが音声信号を入出力可能に接続されているため、電話端末の送受話器で間接的にインターネット通話機能による音声通話を行うことができる。そして、電話端末で間接的にインターネット通話機能による音声通話を行っている最中に保留操作が行われた場合、保留音出力手段が保留音の音声信号を音声入出力経路に出力することによって、この音声信号がインターネット通話機能による音声通話の通話相手側に向けて出力される。そのため、電話端末の送受話器でインターネット通話機能による音声通話を行っているときであっても、電話回線網を介した通常の音声通話を行っているときと同様の操作（保留操作）で同様の機能（音声通話を保留する機能）を利用することができる。
【００１５】
また、請求項３に記載の端末制御プログラムは、
電話回線網経由で伝送される音声信号に基づく音声を送受話器から入出力することにより音声通話を実現する電話端末を制御するための各種手順を、コンピュータシステムに実行させるための端末制御プログラムであって、
音声通話中に通話を保留するための保留操作が行われた場合に保留音の音声信号を電話回線網に出力させる保留音出力手順と、
送受話器から入力される音声に基づく音声信号の出力先、および、送受話器から音声として出力する音声信号の入力元を、外部と音声信号を入出力可能な音声入出力経路に切り替える切り替え手順とが、含まれており、
前記保留音出力手順において、前記切替手順で音声信号の出力先および入力元が前記音声入力経路に切り替えられている状態で前記保留操作が行われた場合には、保留音の音声信号を前記音声入力経路に出力させる、ことを特徴とする。
【００１６】
このようなプログラムにより制御されるコンピュータシステムは、請求項１に記載の電話端末の一部を構成することができるため、このコンピュータシステムを一部構成とした電話端末は、請求項１に記載の電話端末と同様の作用・効果を得ることができる。
【００１７】
なお、上述した端末制御プログラムは、例えば、ＦＤ、ＣＤ−ＲＯＭなどの記録媒体、インターネットなどの通信回線網を介して、電話端末自身、コンピュータシステム、これらを利用する利用者に提供されるものである。
また、上述した端末制御プログラムを実行するコンピュータシステムとしては、例えば、電話端末に内蔵されたコンピュータシステム、電話端末に無線または有線の通信路を介してデータ通信可能に接続されたコンピュータシステムなどを利用することができる。
【００１８】
【発明の実施の形態】
次に本発明の実施の形態について例を挙げて説明する。
通話システム１は、図１に示すように、電話回線網１００経由で伝送される音声信号に基づく音声通話を行う機能を有する複合機１０と、インターネット網２００経由でデータ通信可能なパーソナルコンピュータ（以降、ＰＣとする）２０とが、音声信号を伝送可能なオーディオケーブル３００を介して接続されてなるものである。
【００１９】
複合機１０は、複合機１０全体の動作を制御する制御部１１、音声信号に基づく音声の再生および音声信号の記録を行う録再部１２、ユーザインターフェース部（以降、ユーザＩ／Ｆとする）１３、複合機１０本体から取り外した状態で使用する送受話器であるハンドセット１４、音声を入出力する音声入出力部１５、無線通信用の無線通信部１６、電話回線網１００経由で伝送される音声信号を入出力するＮＣＵ（ｎｅｔｗｏｒｋ　ｃｏｎｔｒｏｌ　ｕｎｉｔ）１７、オーディオケーブル３００経由で伝送される音声信号を入出力する音声信号インターフェース部（以降、音声Ｉ／Ｆとする）１８、複合機１０内部における音声信号の伝送経路を切り替える経路切替部１９、複合機１０本体（無線通信部１６）との間で無線通信を行う無線通話用の子機端末３０などを備えている。
【００２０】
これらのうち、録再部１２は、あらかじめ記録された各種音声信号を再生するメッセージ録再部１２ａと、留守録によるメッセージを音声信号として記録するメッセージ録音部１２ｂとからなり、メッセージ録再部１２ａには、着信を受けた際に利用される呼出音、音声通話を保留する際に利用される保留音、留守録機能によりメッセージの録音を開始する旨を示す留守録メッセージ、後述する複合機１０の処理手順（図２参照）において利用される「通話終了メッセージ」などの音声信号が記録されている。
【００２１】
また、ユーザＩ／Ｆ１３は、複数のキーで構成される操作キー１３ａおよび各種情報を表示する表示パネル１３ｂからなり、操作キー１３ａは、音声通話の保留を開始・終了するための保留キー、外部との音声信号の入出力に利用する伝送経路をＮＣＵ１７から音声Ｉ／Ｆ１８に切り替えるための切替キー、音声入出力部１５を送受話器として使用する音声通話（いわゆるハンズフリー通話）を開始するための通話開始キー、ハンズフリー通話を終了するための通話終了キーなどで構成される。
【００２２】
また、音声入出力部１５は、スピーカ１５ａ、マイク１５ｂおよびこれらを駆動する駆動回路１５ｃで構成され、スピーカ１５ａから各種音声信号に基づく音声を出力する以外に、スピーカ１５ａおよびマイク１５ｂを送受話器として、ハンズフリー通話を行うために使用することもできる。
【００２３】
また、無線通信部１６は、子機端末３０との間で音声信号を含めた各種信号を無線通信で送受信することにより無線通話を実現する。
また、経路切替部１９は、制御部１１の指令を受けて、複合機１０外部との音声信号の入出力に使用する伝送経路を、ＮＣＵ１７または音声Ｉ／Ｆ１８のいずれかに切り替える。なお、この伝送経路は、初期状態においてＮＣＵ１７に切り替えられている。
【００２４】
また、この経路切替部１９は、送受話器として機能する各構成（ハンドセット１４、音声入出力部１５、子機端末３０（無線通信部１６）のいずれか；以降、送受話器類とする）により通話を開始するための操作（以降、オフフック操作とする）が行われた場合に、外部から入力される音声信号の伝送先および外部へ出力する音声信号の伝送元を、いずれかの送受話器類に設定する。具体的には、ハンドセット１４が複合機１０本体から取り外された場合はハンドセット１４に設定され、ユーザＩ／Ｆ１３の操作キー１３ａにより通話開始キーが押下された場合は音声入出力部１５に設定され、子機端末３０により通話を開始するための操作（後述の操作キー３３を構成する通話開始キーによる）が行われた場合には無線通信部１６に設定される。
【００２５】
また、この経路切替部１９は、電話回線網１００からの着信を受けた以降、所定時間内にオフフック操作が行われない場合、制御部１１の指令を受けて、音声信号の伝送先および伝送元を録再部１２に設定する。なお、こうして伝送先および伝送元が録再部１２に設定された後、録再部１２は、制御部１１からの指令を受けてメッセージ録再部１２ａに記録されている留守録メッセージを再生し、これによって、留守録メッセージの音声信号が電話回線網１００経由で着信元へ向けて出力される。そして、この音声信号が出力された後、着信元から電話回線網１００を介して入力される音声信号をメッセージ録音部１２ｂにより記録するように構成されている。
【００２６】
また、子機端末３０は、子機端末３０全体の動作を制御する制御部３１、スピーカとマイクおよびこれらを駆動する駆動回路からなる送受話部３２、複数のキーで構成される操作キー３３、各種情報を表示する表示パネル３４、あらかじめ記録された各種音声信号に基づく音声を再生する再生部３５、再生部３５により再生された音声を出力するスピーカおよびスピーカを駆動する駆動回路からなるスピーカ部３６、複合機１０本体（の無線通信部１６）との間で音声信号を含めた各種信号を無線通信により送受信する無線通信部３７などを備えている。この子機端末３０の備える操作キー３３は、音声通話を開始するための通話開始キー、音声通話を終了するための通話終了キー、音声通話の保留を開始・終了するための保留キーなどで構成される。また、再生部３５には、着信を受けた際に利用される呼出音、音声通話を保留する際に利用される保留音などの音声信号が記録されている。
【００２７】
ＰＣ２０は、ＰＣ２０全体の動作を制御する制御部２１、各種情報を記憶する記憶部２２、ＰＣ２０をインターネット網２００に接続するための通信部２３、オーディオケーブル３００を介して音声信号を入出力する音声信号インターフェース部（以降、音声Ｉ／Ｆとする）２４、キーボードおよびマウスなどからなる操作部２５、ディスプレイ２６などを備えている。
【００２８】
また、このＰＣ２０には、インターネット網２００経由で伝送される音声信号に基づく音声通話を実現する機能（以降、インターネット通話機能とする）を有している。このインターネット通話機能は、記憶部２２に組み込まれたアプリケーションソフト（以降、通話用ソフトとする）で示される手順に従って以下に示す通話開始処理、送受話処理および通話終了処理を実行することにより実現される機能である。
【００２９】
まず、通話開始処理は、インターネット網２００を介してデータ通信可能な他のＰＣのうち、同じ通話用ソフトが組み込まれたＰＣとのコネクションを確立（論理的な通信路の接続）することによって、このＰＣとのデータ通信を開始するための処理である。この通話開始処理は、通話用ソフトが起動した状態で操作部２５により相手側のＰＣを指定する操作が行われた際に実行される。
【００３０】
また、送受話処理は、音声信号に基づいてパケット単位のデータを生成し、このデータを通信部２３およびインターネット網２００経由で、コネクション確立中のＰＣへ送信すると共に、インターネット網２００および通信部２３経由でコネクション確立中のＰＣから送信されてきたパケット単位のデータに基づいて音声信号を生成する処理である。本実施形態においては、オーディオケーブル３００および音声Ｉ／Ｆ２４経由で複合機１０から入力される音声信号に基づきパケット単位のデータが生成され、このデータがインターネット網２００に出力される。また、パケット単位のデータに基づいて生成された音声信号は音声Ｉ／Ｆ２４およびオーディオケーブル３００経由で複合機１０に出力される。この送受話処理は、通話開始処理が実行された後、通話終了処理が実行されるまで繰り返し実行される処理であり、これによって、ＰＣ２０（に接続された複合機１０）とインターネット網２００を介して接続されたＰＣとの間で音声通話が実現される。
【００３１】
そして、通話終了処理は、コネクション確立中のＰＣとのコネクションを解放（論理的な通信路の切断）することによって、インターネット通話機能の利用を終了する処理である。この通話終了処理は、操作部２５により通話相手として別のＰＣを指定する操作や、通話用ソフトを終了させるための操作が行われた際に実行される。なお、通話用ソフトは、通話用ソフト自身を終了させる操作が行われた際に、この通話用ソフトの組み込まれたＰＣからコネクション確立中のＰＣへ、コネクションの解放を通知するための解放信号を送信させるように構成されており、ＰＣ２０は、この解放信号を受信した場合にも通話終了処理を実行する。
【００３２】
なお、詳細な説明は省略するが、このＰＣ２０の通信部２３からインターネット網２００までに至る通信経路のうち一部の区間（利用者側から電話局側までの区間）には、複合機１０のＮＣＵ１７から電話回線網１００に至る区間を接続する電話回線が併用されている。この区間においては、ＡＤＳＬ（ａｓｙｍｍｅｔｒｉｃ　ｄｉｇｉｔａｌｓｕｂｓｃｒｉｂｅｒ　ｌｉｎｅ）技術によって、電話回線網１００を介して伝送される音声信号と、インターネット網２００を介して伝送されるデータとが重畳された状態で伝送される。
【００３３】
［複合機１０の制御部１１による処理手順］
以下に、複合機１０が起動（電源ＯＮ）してから、停止（電源ＯＦＦ）するまでの間に、この複合機１０の備える制御部１１が実行する処理手順を図２に基づいて説明する。
【００３４】
まず、制御部１１は、外部との音声信号の入出力に利用する伝送経路が、ＮＣＵ１７または音声Ｉ／Ｆ１８のいずれに切り替えられているかをチェックする（ｓ１１０）。外部との音声信号の入出力に利用する伝送経路は、初期状態ではＮＣＵ１７に切り替えられているが、以降の処理において、ＮＣＵ１７から音声Ｉ／Ｆ１８に切り替えられた後（ｓ１５０の処理）、音声Ｉ／Ｆ１８からＮＣＵ１７に切り替え直される（ｓ３４０の処理）ため、この処理においては、伝送経路がいずれに切り替えられているかがチェックされる。
【００３５】
なお、伝送経路がＮＣＵ１７に切り替えられている状態は、ＮＣＵ１７および電話回線網１００を介して伝送される音声信号に基づく音声を送受話器類から入出力可能な状態である。この状態は、複合機１０が周知の電話端末として機能することにより、電話回線網１００を介した通常の音声通話を行うことができる状態である。一方、伝送経路が音声Ｉ／Ｆ１８に切り替えられている状態は、オーディオケーブル３００および音声Ｉ／Ｆ１８を介してＰＣ２０から入出力される音声信号に基づく音声を送受話器類から入出力可能な状態である。この状態は、ＰＣ２０側でインターネット通話機能の利用が開始されている場合に、複合機１０の備える送受話器類により間接的にインターネット通話機能による音声通話を行うことができる状態である。
【００３６】
このｓ１１０の処理で、伝送経路がＮＣＵ１７に切り替えられている場合（ｓ１１０：ＹＥＳ）、制御部１１は、ユーザＩ／Ｆ１３の操作キー１３ａまたは子機端末３０の操作キー３３が操作されたかどうかをチェックする（ｓ１２０）。なお、子機端末３０は、操作キー３３が操作された際、操作内容を示す各種コマンドを無線通信部３７によって複合機１０に送信するように構成されており、このコマンドを受信した制御部１１は、コマンドに基づいて、子機端末３０の操作キー３３が操作されたことの検出および操作内容の特定が可能である。
【００３７】
このｓ１２０の処理で、操作キー１３ａ、３３による操作が行われた場合（ｓ１２０：ＹＥＳ）、制御部１１は、操作キー１３ａ、３３による操作内容が、外部との音声信号の入出力に利用する伝送経路をＮＣＵ１７から音声Ｉ／Ｆ１８に切り替える操作であるかどうかをチェックする（ｓ１３０）。ここで、「伝送経路をＮＣＵ１７から音声Ｉ／Ｆ１８に切り替え操作」とは、伝送経路を音声Ｉ／Ｆ１８に切り替えることによって、複合機１０の備える送受話器類により間接的にインターネット通話機能による音声通話を行うことができる状態とするための操作である。具体的な操作内容としては、ユーザＩ／Ｆ１３の操作キー１３ａを構成する切替キーを押下する、または、子機端末３０の操作キー３３により伝送経路を切り替えるための切替操作（本実施形態においては、数字の「５」キーを長押しする操作）を行うことが、「伝送経路をＮＣＵ１７から音声Ｉ／Ｆ１８に切り替える操作」として設定されている。このｓ１３０の処理では、上述の操作が操作キー１３ａ、３３により行われたかどうかがチェックされる。なお、子機端末３０は、操作キー３３により切替操作が行われた際、伝送経路の切り替えを要求するための切替要求コマンドを複合機１０本体に送信する（図３におけるｓ４１０の処理参照）。
【００３８】
このｓ１３０の処理で、操作キー１３ａ、３３による操作内容が、伝送経路をＮＣＵ１７から音声Ｉ／Ｆ１８に切り替えるための操作であれば（ｓ１３０：ＹＥＳ）、制御部１１は、伝送経路をＮＣＵ１７から音声Ｉ／Ｆ１８に切り替え可能かどうかをチェックする（ｓ１４０）。この処理においては、ＮＣＵ１７からの音声信号の入力状態がチェックされ、音声信号が入力されていない、つまり、電話回線網１００を介した通常の音声通話が行われていない状態であれば、伝送経路の音声Ｉ／Ｆ１８への切り替えが可能であると判定される。一方、音声信号が入力されている、つまり、電話回線網１００を介した通常の音声通話が行われている状態であれば、伝送経路の音声Ｉ／Ｆ１８への切替が不可能であると判定される。
【００３９】
このｓ１４０の処理で、伝送経路をＮＣＵ１７から音声Ｉ／Ｆ１８への切り替えが可能であれば（ｓ１４０：ＹＥＳ）、制御部１１は、伝送経路をＮＣＵ１７から音声Ｉ／Ｆ１８に切り替えさせる（ｓ１５０）。この処理においては、伝送経路を音声Ｉ／Ｆ１８に切り替えるための制御信号が経路切替部１９に出力され、この制御信号を入力した経路切替部１９が伝送経路をＮＣＵ１７から音声Ｉ／Ｆ１８に切り替える。
【００４０】
また、この処理においては、外部から入力される音声信号の伝送先および外部へ出力する音声信号の伝送元をいずれかの送受話器類に設定するための制御信号が経路切替部１９に出力され、この制御信号を入力した経路切替部１９が音声信号の伝送先および伝送元をいずれかの送受話器類に設定する。具体的には、ｓ１２０の処理において、ハンドセット１４が複合機１０本体から取り外された状態で切替キーが操作されていた場合は、音声信号の伝送先および伝送元がハンドセット１４に設定される。また、ハンドセット１４が複合機１０本体から取り外されることなく切替キーが操作されていた場合は、音声入出力部１５に設定される。また、子機端末３０により切替操作が行われていた場合には、無線通信部１６（子機端末３０）に設定される。なお、制御部１１は、伝送先および伝送元を無線通信部１６に設定した際、子機端末３０に対して伝送経路を切り替えた旨を通知するための切替通知コマンドを送信する（図３におけるｓ４２０の処理参照）。
【００４１】
こうして、送受話器類から複合機１０外部に至る音声信号の伝送経路が設定され、ＰＣ２０側でインターネット通話機能の利用が開始されていれば、送受話器類により間接的にインターネット通話機能による音声通話を行うことができる状態となる。
【００４２】
一方、ｓ１４０の処理で、伝送経路をＮＣＵ１７から音声Ｉ／Ｆ１８への切り替えが不可能であれば（ｓ１４０：ＮＯ）、制御部１１は、伝送経路の切り替えが不可能である旨を報知する（ｓ１６０）。この処理においては、ｓ１２０の処理で、ユーザＩ／Ｆ１３の操作キー１３ａを構成する切替キーが操作されていた場合は、ユーザＩ／Ｆ１３の表示パネル１３ｂに、伝送経路の切り替えが不可能である（つまり、インターネット通話機能による音声通話が行えない）旨のメッセージを表示させる。また、子機端末３０の操作キーにより切替操作が行われていた場合には、伝送経路の切り替えが不可能である旨を通知するための切替拒否コマンドが無線通信部１６を介して子機端末３０に送信される。この切替拒否コマンドを受信した子機端末３０は、表示パネル３４により上述のメッセージを表示する（図３におけるｓ５４０の処理参照）。
【００４３】
また、ｓ１２０の処理で、操作キー１３ａ、３３により行われた操作が、音声通話の保留を開始する保留開始操作であれば（ｓ１３０：ＮＯ、ｓ１７０：ＹＥＳ）、制御部１１は、保留開始処理を行う（ｓ１８０）。ここで、保留開始操作とは、このｓ１８０の処理による音声通話の保留が開始されていない状態で、操作キー１３ａ、３３を構成する保留キーが押下される操作である。
【００４４】
このｓ１８０の処理においては、まず、保留音を再生させるための制御信号が録再部１２に出力され、この制御信号を入力した録再部１２がメッセージ録再部１２ａにより保留音の再生を開始させる。
続いて、外部から入力される音声信号の伝送先および外部へ出力する音声信号の伝送元を録再部１２に設定するための制御信号が経路切替部１９に出力され、この制御信号を入力した経路切替部１９が音声信号の伝送先および伝送元を録再部１２に設定する。これによって、保留音の音声信号がＮＣＵ１７および電話回線網１００を介して、通話相手側へ向けて出力される。
【００４５】
そして、ｓ１２０の処理で、ユーザＩ／Ｆ１３により保留開始操作が行われていた場合は、音声経路の伝送経路として、録再部１２から音声入出力部１５に至る伝送経路を設定するための制御信号が経路切替部１９に出力され、この制御信号を入力した経路切替部１９が録再部１２から音声入出力部１５に至る音声信号の伝送経路を設定する。これによって、保留音が音声入出力部１５のスピーカ１５ａから出力される。また、子機端末３０の操作キーにより保留開始操作が行われていた場合には、子機端末３０の再生部３５が保留音を再生すると共に、スピーカ部３６が保留音の出力を開始する。
【００４６】
また、ｓ１２０の処理で、操作キー１３ａ、３３により行われた操作が、音声通話の保留を終了する保留終了操作であれば（ｓ１３０：ＮＯ、ｓ１７０：ＮＯ、ｓ１９０：ＹＥＳ）、制御部１１は、保留終了処理を行う（ｓ２００）。ここで、保留終了操作とは、以前に実行されたｓ１８０の処理で音声通話の保留が開始されている状態で、操作キー１３ａ、３３を構成する保留キーを押下する操作である。
【００４７】
この処理においては、まず、保留音の再生を停止させるための制御信号が録再部１２に出力され、この制御信号を入力した録再部１２がメッセージ録再部１２ａによる保留音の再生を停止させる。
そして、外部から入力される音声信号の伝送先および外部へ出力する音声信号の伝送元をいずれかの送受話器類に設定する制御信号が経路切替部１９に出力され、この制御信号を入力した経路切替部１９が音声信号の伝送先および伝送元をいずれかの送受話器類に設定する。具体的には、ｓ１２０の処理において、ハンドセット１４が複合機１０本体から取り外された状態でユーザＩ／Ｆ１３により保留終了操作が行われていた場合は、音声信号の伝送先および伝送元がハンドセット１４に設定される。また、ハンドセット１４が複合機１０本体から取り外されることなくユーザＩ／Ｆ１３により保留終了操作が行われていた場合は、音声入出力部１５に設定される。また、子機端末３０により保留終了操作が行われていた場合には、無線通信部１６（子機端末３０）に設定され、また、再生部３５が保留音の再生を終了することによって、スピーカ部３６からの保留音の出力を終了する。こうして、ｓ１８０の処理で保留開始処理が行われる前の状態に戻され、音声通話が再開される。
【００４８】
また、ｓ１２０の処理で、操作キー１３ａ、３３により行われた操作が、音声通話を終了する操作（以降、オンフック操作とする）であれば（ｓ１３０：ＮＯ、ｓ１７０：ＮＯ、ｓ１９０：ＮＯ）、制御部１１は、音声通話を終了させる（ｓ２１０）。ここで、オンフック操作とは、ハンドセット１４により音声通話が行われている場合にハンドセット１４が複合機１０本体に戻される、音声入出力部１５により音声通話が行われている場合にユーザＩ／Ｆ１３の操作キー１３ａを構成する通話終了キーを押下する、子機端末３０により無線通話が行われている場合に子機端末３０の操作キー３３を構成する通話終了キーを押下する、といった操作のことである。このｓ２１０の処理においては、外部から入力される音声信号の伝送先および外部へ出力する音声信号の伝送元として設定された送受話器類までの伝送経路の設定が解除され、これにより音声通話が終了する。
【００４９】
また、ｓ１１０の処理で、伝送経路が音声Ｉ／Ｆ１８に切り替えられている場合（ｓ１１０：ＮＯ）、制御部１１は、ユーザＩ／Ｆ１３の操作キー１３ａまたは子機端末３０の操作キー３３が操作されたかどうかをチェックする（ｓ２２０）。この処理は、ｓ１２０の処理と同様の処理である。
【００５０】
このｓ２２０の処理で、操作キー１３ａ、３３による操作が行われた場合（ｓ２２０：ＹＥＳ）、制御部１１は、操作キー１３ａ、３３による操作内容が保留開始操作であれば（ｓ２７０：ＹＥＳ）、保留開始処理を行う（ｓ２８０）。ここで、保留開始操作とは、ｓ１８０の処理と同様に、このｓ２８０の処理による音声通話の保留が開始されていない状態で、操作キー１３ａ、３３を構成する保留キーを押下する操作である。なお、子機端末３０は、操作キー３３の保留キーが押下された際、保留の開始を要求するための保留開始コマンドを複合機１０本体に送信する（図３におけるｓ５００の処理参照）。
【００５１】
このｓ２８０の処理においては、まず、ｓ１８０の処理と同様に、録再部１２がメッセージ録再部１２ａにより保留音の再生を開始する。
続いて、ｓ１８０の処理と同様に、経路切替部１９が音声信号の伝送先および伝送元を録再部１２に設定することによって、保留音の音声信号が音声Ｉ／Ｆ１８、ＰＣ２０およびインターネット網２００を介して、通話相手側（ＰＣ２０とコネクション確立中のＰＣ）へ向けて出力される。
【００５２】
そして、ｓ２２０の処理において、ユーザＩ／Ｆ１３により保留開始操作が行われていた場合は、ｓ１８０の処理と同様に、経路切替部１９が録再部１２から音声入出力部１５に至る音声信号の伝送経路を設定することによって、保留音が音声入出力部１５のスピーカ１５ａから出力される。また、子機端末３０の操作キーにより保留開始操作が行われていた場合には、ｓ１８０の処理と同様に、子機端末３０がスピーカ部３６から保留音の出力を開始する（図３におけるｓ５１０の処理参照）。
【００５３】
また、ｓ２２０の処理で、操作キー１３ａ、３３により行われた操作が保留終了操作であれば（ｓ２７０：ＮＯ、ｓ２９０：ＹＥＳ）、制御部１１は、保留終了処理を行う（ｓ３００）。ここで、保留終了操作とは、ｓ２００の処理と同様に、以前に実行されたｓ２８０の処理で保留開始処理が行われている状態で、操作キー１３ａ、３３を構成する保留キーを再度押下する操作である。なお、子機端末３０は、このような状態で操作キー３３の保留キーが押下された際、保留の終了を要求するための保留終了コマンドを複合機１０本体に送信する。
【００５４】
この処理においては、まず、ｓ２００の処理と同様に、録再部１２がメッセージ録再部１２ａによる保留音の再生を停止させる。
続いて、ｓ２００の処理と同様に、経路切替部１９が音声信号の伝送先および伝送元をいずれかの送受話器類に設定する。こうして、ｓ２８０の処理で保留開始処理が行われる前の状態に戻され、音声通話が再開される。
【００５５】
そして、ｓ２２０の処理において、子機端末３０により保留終了操作が行われていた場合、子機端末３０は、ｓ２００の処理と同様に、スピーカ部３６からの保留音の出力を終了する（図３におけるｓ５３０の処理参照）。
また、ｓ２２０の処理で、操作キー１３ａ、３３により行われた操作がオンフック操作であれば（ｓ２７０：ＮＯ、ｓ２９０：ＮＯ）、制御部１１は、インターネット通話機能による音声通話を行っている通話相手へ向けて「通話終了メッセージ」の音声信号を出力させる（ｓ３１０）。この処理においては、まず、「通話終了メッセージ」を再生するための制御信号が録再部１２に出力され、この制御信号を入力した録再部１２がメッセージ録再部１２ａにより「通話終了メッセージ」の再生を開始する。そして、外部から入力される音声信号の伝送先および外部へ出力する音声信号の伝送元を録再部１２に設定するための制御信号が経路切替部１９に出力され、この制御信号を入力した経路切替部１９が音声信号の伝送先および伝送元を録再部１２に設定する。これによって、「通話終了メッセージ」の音声信号が音声Ｉ／Ｆ１８、ＰＣ２０およびインターネット網２００を介して、ＰＣ２０とコネクション確立中のＰＣ（通話相手側）へ向けて出力される。この「通話終了メッセージ」は、音声通話が終了される旨を通知するためのメッセージであるため、このメッセージによって、インターネット通話機能による音声通話の通話相手側に対して、音声通話が終了される旨を通知することができる。なお、子機端末３０は、操作キー３３によりオフフック操作（通話終了キーの押下）が行われた際、音声通話を終了する旨を通知するための通話終了コマンドを複合機１０へ送信する（図３におけるｓ４６０の処理参照）。
【００５６】
次に、制御部１１は、インターネット通話機能の利用を終了すべき旨を報知する（ｓ３２０）。この処理においては、インターネット通話機能の利用を終了すべき旨のメッセージを表示するための制御信号がユーザＩ／Ｆ１３に出力され、この制御信号を入力したユーザＩ／Ｆ１３が表示パネル１３ｂにより上述のメッセージを表示させる。これによって、ＰＣ２０によるインターネット通話機能（通話用ソフト）の利用を終了すべき旨を利用者に通知することができる。
【００５７】
なお、上述のＰＣ２０は、インターネット通話機能によって、インターネット網２００経由で伝送される音声信号を複合機１０から入力または複合機１０に出力することはできるが、通常、複合機１０側で音声通話が終了されたこと、および、音声通話が終了されたことに伴ってインターネット通話機能の利用を終了させるといったことはできない。そのため、複合機１０を利用したインターネット通話機能による音声通話を終了させた際、利用者は、ＰＣ２０側でインターネット通話機能の利用を終了させるための操作を行う必要がある。しかし、利用者は、このようなＰＣ２０側での操作を忘れてしまう恐れがある。こうして、ＰＣ２０側でインターネット通話機能による音声通話を終了させるための操作が忘れられてしまうと、インターネット通話機能の利用が無用に継続されてしまう。特に、通信料金が従量課金制となっている環境（例えば、ダイヤルアップ接続によるインターネット）でインターネット通話機能を利用している利用者にとっては、インターネット通話機能の利用（つまり、インターネットへの接続）が継続してしまうことにより、通信料金が無用に増大してしまうため好ましくない。そのため、このｓ３２０の処理でインターネット通話機能の利用を終了すべき旨を報知することは、ＰＣ２０側でインターネット通話機能の利用を終了させるための操作を忘れてしまうことを防止するために好適である。
【００５８】
次に、制御部３１は、音声通話を終了させる（ｓ３３０）。この処理においては、ｓ２００の処理と同様に、外部から入力される音声信号の伝送先および外部へ出力する音声信号の伝送元として設定された送受話器類までの伝送経路の設定が解除されることにより音声通話が終了する。
【００５９】
そして、制御部３１は、外部との音声信号の入出力に利用する伝送経路を、音声Ｉ／Ｆ１８からＮＣＵ１７に切り替え直させる（ｓ３４０）。この処理においては、伝送経路をＮＣＵ１７に切り替えるための制御信号が経路切替部１９に出力され、この制御信号を入力した経路切替部１９が伝送経路を音声Ｉ／Ｆ１８からＮＣＵ１７に切り替え直す。
【００６０】
こうして、ｓ１５０、ｓ１６０、ｓ１８０、ｓ２００、ｓ２１０、ｓ２８０、ｓ３００、ｓ３４０の処理を終えた後、ｓ１２０の処理で操作キー１３ａ、３３による操作が行われていない場合（ｓ１２０：ＮＯ）、または、ｓ２２０の処理で操作キー１３ａ、３３による操作が行われていない場合（ｓ２２０：ＮＯ）、ｓ１１０の処理へ戻る。
【００６１】
なお、以上説明した処理手順においては、ｓ１２０の処理において行われた操作が、切り替える操作、保留開始操作、保留終了操作またはオンフック操作それぞれである場合の処理についてのみ詳述した。また、このｓ１２０以降の処理においては、上述の操作以外の操作が行われた場合、その操作に対応する処理が行われることが考えられるが、本発明を理解する上では重要でないため省略する。
【００６２】
［子機端末３０の制御部３１によるインターネット通話処理］
以下に、子機端末３０の備える制御部３１が実行するインターネット通話処理の処理手順を図３に基づいて説明する。このインターネット通話処理は、操作キー３３により切替操作（図２におけるｓ１３０の処理参照）が行われた際に開始される。
【００６３】
まず、制御部３１は、切替要求コマンドを複合機１０へ送信する（ｓ４１０）。この切替要求コマンドは、複合機１０に対して複合機１０外部との音声信号の入出力に利用する伝送経路の切り替えを要求するためのものであって、複合機１０が図２におけるｓ１２０の処理で受信するコマンドである。この切替要求コマンドを受信した複合機１０からは、伝送経路の切り替えが可能であれば、伝送経路を切り替えた旨を通知するための切替通知コマンドが送信され（図２におけるｓ１５０の処理参照）、伝送経路の切り替えが不可能である旨を通知するための切替拒否コマンドが送信されてくる（同ｓ１６０の処理参照）。
【００６４】
次に、制御部３１は、ｓ４１０の処理を終えた後、一定時間（本実施形態においては５００ｍｓ）以内に切替通知コマンドを受信したら（ｓ４２０：ＹＥＳ）、無線通話を開始する（ｓ４３０）。この処理においては、複合機１０との間における音声信号の送受信が開始されることによって、子機端末３０での間接的なインターネット通話機能による音声通話が、ＰＣ２０とコネクション確立中のＰＣ（通話相手側）との間で開始される。
【００６５】
次に、制御部３１は、操作キー３３が操作されるまで待機する（ｓ４４０：ＮＯ）。
このｓ４４０の処理で、操作キー３３が操作された場合（ｓ４４０：ＹＥＳ）、この操作内容が通話終了キーを押下する操作であれば（ｓ４５０：ＹＥＳ）、制御部３１は、通話終了コマンドを複合機１０へ送信する（ｓ４６０）。この通話終了コマンドは、子機端末３０側での音声通話の終了を通知するためのものであって、複合機１０が図２におけるｓ２２０の処理で受信するコマンドである。
【００６６】
次に、制御部３１は、インターネット通話機能の利用を終了すべき旨のメッセージを、表示パネル３４に表示させる（ｓ４７０）。この処理においては、インターネット通話機能の利用を終了すべき旨のメッセージを表示させるための制御信号が表示パネル３４に出力され、この制御信号を入力した表示パネル３４が上述のメッセージを表示する。これによって、子機端末３０により無線通話を行っていた利用者に対しても、ＰＣ２０によるインターネット通話機能（通話用ソフト）の利用を終了すべき旨を通知することができる。
【００６７】
そして、制御部３１は、無線通話を終了する（ｓ４８０）。この処理においては、複合機１０との間における音声信号の送受信が終了されることによって、子機端末３０での間接的なインターネット通話機能による音声通話が終了される。また、ｓ４４０の処理で行われた操作キー３３の操作内容が保留開始操作であれば（ｓ４５０：ＮＯ、ｓ４９０：ＹＥＳ）、制御部３１は、保留開始コマンドを複合機１０本体に送信する（ｓ５００）。この保留開始コマンドは、図２におけるｓ２２０の処理で複合機１０本体が受信するコマンドである。
【００６８】
次に、制御部３１は、スピーカ部３６に保留音の出力を開始させる（ｓ５１０）。この処理においては、保留音を再生するための制御信号が再生部３５に出力され、この制御信号を入力した再生部３５が保留音を再生すると共に、スピーカ部３６が保留音の出力を開始する。
【００６９】
また、ｓ４４０の処理で行われた操作キー３３の操作内容が保留終了操作であれば（ｓ４５０：ＮＯ、ｓ４９０：ＮＯ）、制御部３１は、保留終了コマンドを複合機１０本体に送信する（ｓ５２０）。この保留終了コマンドは、図２におけるｓ２２０の処理で複合機１０本体が受信するコマンドである。
【００７０】
次に、制御部３１は、スピーカ部３６に保留音の出力を終了させる（ｓ５３０）。この処理においては、保留音の再生を終了するための制御信号が再生部３５に出力され、この制御信号を入力した再生部３５が保留音の再生を終了すると共に、スピーカ部３６が保留音の出力を終了する。
【００７１】
こうして、ｓ５１０、ｓ５３０の処理を終えた後、ｓ４４０の処理へ戻る。
また、制御部３１は、ｓ４１０の処理を終えた後、一定時間以内に切替拒否コマンドを受信したとき、または、一定時間以内に切替通知コマンドを受信しないとき（ｓ４２０：ＮＯ）、表示パネル３４によって、伝送経路の切り替えが不可能である旨のメッセージを表示させる（ｓ５４０）。この処理においては、伝送経路の切り替えが不可能である旨のメッセージを表示するための制御信号が表示パネル３４に出力され、この制御信号を入力した表示パネル３４が上述のメッセージを表示する。
【００７２】
そして、ｓ４８０、または、ｓ５４０の処理を終えた後、本インターネット通話処理を終了する。
なお、以上説明したインターネット通話処理においては、ｓ４４０の処理において行われた操作が、通話終了キーの押下、保留開始操作、保留終了操作それぞれである場合の処理についてのみ詳述した。また、このｓ４４０以降の処理においては、上述の操作以外の操作が行われた場合、その操作に対応する処理が行われることが考えられるが、本発明を理解する上では重要でないため省略する。
【００７３】
［本発明との対応関係］
以上説明した実施形態において、複合機１０は本発明における電話端末であり、ＰＣ２０は本発明におけるインターネット端末であり、オーディオケーブル３００は本発明における音声伝送経路である。
【００７４】
また、複合機１０の備える録再部１２のメッセージ録再部１２ａおよび経路切替部１９は、図２におけるｓ１８０、ｓ２８０の処理において、本発明における保留音出力手段として機能している。
また、複合機１０の備える音声Ｉ／Ｆ１８は本発明における音声入出力経路、経路切替部１９は本発明における切替手段である。
【００７５】
［効果］
このように構成された通話システム１によれば、図２におけるｓ１５０の処理で、複合機１０外部との音声信号の入出力に利用される伝送経路が音声Ｉ／Ｆ１８に切り替えられた状態においては、オーディオケーブル３００を介して外部から入力される音声信号に基づく音声が送受話器類から出力され、また、送受話器類から入力される音声に基づく音声信号がオーディオケーブル３００を介して外部に出力される。
【００７６】
そのため、インターネット通話機能を有するＰＣ２０に、複合機１０をオーディオケーブル３００経由で音声信号を入出力可能に接続された本通話システム１では、複合機１０の送受話器類で間接的にインターネット通話機能による音声通話を行うことができる。
【００７７】
さらに、複合機１０の送受話器類で間接的にインターネット通話機能による音声通話を行っている最中に、ｓ２２０の処理で保留操作が行われた場合、ｓ２８０の処理で録再部１２により保留音が再生され、この保留音の音声信号が音声Ｉ／Ｆ１８、オーディオケーブル３００、ＰＣ２０およびインターネット網２００を介して、インターネット通話機能による音声通話の通話相手側に向けて出力される。ここで、音声通話の保留に関する操作は、電話回線網１００を介した通常の音声通話のときと同じ操作となっている（ｓ１７０、ｓ２７０の処理）。
【００７８】
よって、インターネット通話機能による音声通話を行っているときであっても、保留操作が行われた場合には、電話回線網１００を介した通常の音声通話を行っているときと同様に、インターネット通話機能による音声通話の通話相手側に向けて保留音の音声信号を出力することができる。このように、インターネット通話機能による音声通話を行っているときであっても、電話回線網１００を介した通常の音声通話を行っているときと同様の操作（保留操作）で同様の機能（音声通話を保留する機能）を利用することができる。
【００７９】
［変形例］
以上、本発明の実施形態について説明したが、本発明は上記の具体的な実施形態に限定されず、このほかにも様々な形態で実施することができる。
例えば、上記実施形態においては、複合機１０に本発明の電話端末としての構成を適用したものを例示した。しかし、本発明の電話端末としての構成を適用する装置は、電話端末としての機能を有していれば複合機１０以外の装置であってもよい。
【００８０】
また、上記実施形態においては、図２の処理が、複合機１０の制御部１１からなるコンピュータシステムにより実行されるように構成されたものを例示した。しかし、この処理が、複合機１０に有線・無線の信号伝送路で接続された別のコンピュータシステムにより実行されるように構成してもよい。
【００８１】
また、上記実施形態においては、図３のインターネット通話処理が、子機端末３０の制御部３１からなるコンピュータシステムにより実行されるように構成されたものを例示した。しかし、この処理が、子機端末３０に有線・無線の信号伝送路で接続された別のコンピュータシステムにより実行されるように構成してもよい。
【００８２】
また、上記実施形態においては、図２におけるｓ１３０の処理で伝送経路を切り替えるための操作として、ユーザＩ／Ｆ１３の操作キー１３ａを構成する切替キーの押下、または、子機端末３０の操作キー３３による切替操作（数字の「５」キー長押し）が行われることを契機として、ｓ１４０の処理で伝送経路が切替可能であれば、ｓ１５０の処理で伝送経路が切り替えられるように構成されたものを例示した。しかし、ｓ１３０の処理において、上述した以外の操作内容を伝送経路が切り替えられる契機としてもよい。例えば、ユーザＩ／Ｆ１３の操作キー１３ａによる特定の操作手順（例えば、数字の「５」キー長押し、複数のキーを特定の順番で押下など）が契機となるように構成してもよいし、子機端末３０の操作キー３３の一つとして切替キーを設け、この切替キーが押下されることが契機となるように構成してもよい。
【図面の簡単な説明】
【図１】実施形態における通話システムの制御系統を示すブロック図
【図２】複合機が実行する処理手順を示すフローチャート
【図３】子機端末が実行するインターネット通話処理の処理手順を示すフローチャート
【符号の説明】
１・・・通話システム、１０・・・複合機、１１・・・制御部、１２・・・録再部、１２ａ・・・メッセージ再生部、１２ｂ・・・メッセージ録音部、１３・・・ユーザインターフェース部、１３ａ・・・操作キー、１３ｂ・・・表示パネル、１４・・・ハンドセット、１５・・・音声入出力部、１５ａ・・・スピーカ、１５ｂ・・・マイク、１５ｃ・・・駆動回路、１６・・・無線通信部、１７・・・ＮＣＵ、１８・・・音声信号インターフェース部、１９・・・経路切替部、２０・・・パーソナルコンピュータ、２１・・・制御部、２２・・・記憶部、２３・・・通信部、２４・・・音声信号インターフェース部、２５・・・操作部、２６・・・ディスプレイ、３０・・・子機端末、３１・・・制御部、３２・・・音声入出力部、３３・・・操作キー、３４・・・表示パネル、３５・・・再生部、３６・・・スピーカ部、３７・・・無線通信部、３００・・・オーディオケーブル。
【図１】
2004072402.tif 000003
【図２】
2004072402.tif 000004
【図３】
2004072402.tif 000005